【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
情報処理装置から送信されるデータ入出力要求を受信するチャネル制御部と、
ディスクドライブを制御するディスク制御部と、
前記チャネル制御部と前記ディスク制御部との間で授受されるデータを記憶するキャッシュメモリと、を有するディスク制御装置と、
複数のディスクドライブと、
を備えるディスクシステムであって、
前記ディスク制御装置は、
前記受信したデータ入出力要求が磁気テープ装置に対するデータ入出力を要求するテープアクセス要求である場合には、
磁気テープ上の位置を特定するための情報に対応する前記ディスクドライブ上の位置を特定するための情報を設定して前記ディスクドライブに対するデータ入出力に関する制御を行うこと、
を特徴とするディスクシステム。
【請求項２】
請求項１に記載のディスクシステムであって、
前記ディスク制御装置は、
前記受信したデータ入出力要求がディスクドライブに対するデータ入出力を要求するディスクアクセス要求である場合には、
前記ディスクアクセス要求に応じて前記ディスクドライブに対してデータ入出力を行うこと、
を特徴とするディスクシステム。
【請求項３】
請求項２に記載のディスクシステムであって、
前記チャネル制御部は、前記磁気テープ上でデータを記録する位置を特定するための情報と、前記ディスクドライブ上でデータを記録する位置を特定するための情報とを対応づけて記憶し、
前記チャネル制御部は、前記受信したデータ入出力要求が前記ディスクアクセス要求である場合には、前記ディスクアクセス要求に応じて前記ディスクドライブに対してデータ入出力を行うように前記ディスク制御部に指示をするディスク制御コマンドを生成し、
前記チャネル制御部は、前記受信したデータ入出力要求が前記テープアクセス要求である場合には、前記磁気テープ上の位置を特定するための情報に対応する前記ディスクドライブ上の位置を特定するための情報を設定して前記ディスク制御コマンドを生成し、
前記ディスク制御部は、前記ディスク制御コマンドに従って前記ディスクドライブに対するデータ入出力に関する制御を行うこと、
を特徴とするディスクシステム。
【請求項４】
請求項２に記載のディスクシステムであって、
前記チャネル制御部は、前記ディスクドライブである第１のディスクドライブに記憶されているデータの複製を、他のディスク制御装置がデータ入出力を行う第２のディスクドライブに記憶させるために、前記他のディスク制御装置に対してデータ入出力要求を送信する機能を有する複製処理部を備え、
前記チャネル制御部には、可搬型記録媒体に対するデータ入出力に関する制御を行う可搬型記録媒体制御装置が通信可能に接続され、
前記チャネル制御部は、前記第１のディスクドライブから前記可搬型記録媒体へデータを書き出すように指示するコマンドを受信すると、前記複製処理部により、前記第１のディスクドライブに記憶されているデータを前記可搬型記録媒体制御装置に送信すること、
を特徴とするディスクシステム。
【請求項５】
請求項２に記載のディスクシステムであって、
前記チャネル制御部は、前記ディスクドライブである第１のディスクドライブに、他のディスク制御装置がデータ入出力を行う第２のディスクドライブに記憶されているデータの複製を記憶させるために、前記他のディスク制御装置に対してデータ入出力要求を送信する機能を有する複製処理部を備え、
前記チャネル制御部には、可搬型記録媒体に対するデータ入出力に関する制御を行う可搬型記録媒体制御装置が通信可能に接続され、
前記チャネル制御部は、前記可搬型記録媒体からデータを読み出すように指示するコマンドを受信すると、前記複製処理部により、前記可搬型記録媒体からデータを読み出すように指示する要求を、前記可搬型記録媒体制御装置に送信すること、
を特徴とするディスクシステム。
【請求項６】
請求項１乃至５のいずれかに記載のディスクシステムであって、
前記チャネル制御部は、前記受信したデータ入出力要求が前記テープアクセス要求であり、当該テープアクセス要求が磁気テープに記録されたデータを逆方向に読み出すための逆読みコマンドであったときには、前記逆読みコマンドを解釈して前記ディスク制御コマンドを生成し、前記ディスクドライブから読み出したデータに対して前記逆読みコマンドに応じた処理を行うこと、
を特徴とするディスクシステム。
【請求項７】
請求項１乃至６のいずれかに記載のディスクシステムであって、
前記チャネル制御部は、前記生成したディスク制御コマンドが前記ディスクドライブに対する書き込みに関するコマンドである場合には、前記ディスクドライブに書き込むデータを圧縮し、
前記チャネル制御部は、前記生成したディスク制御コマンドが前記ディスクドライブからの読み出しに関するコマンドであり、前記ディスク制御部による制御によって前記ディスクドライブから読み出されたデータが圧縮されたデータであるときは、前記読み出されたデータを伸張すること、
を特徴とするディスクシステム。
【請求項８】
請求項２に記載のディスクシステムであって、
前記チャネル制御部は、複数の磁気テープを個々に対応した収納部に格納して管理する磁気テープライブラリ装置における前記磁気テープそれぞれの上でデータを記録する位置を特定するための情報と、前記ディスクドライブ上でデータを記録する位置を特定するための情報とを対応づけて記憶し、
前記チャネル制御部は、前記受信したデータ入出力要求が前記ディスクアクセス要求である場合には、前記ディスクアクセス要求に応じて、前記ディスクドライブに対してデータ入出力を行うように前記ディスク制御部に指示をするディスク制御コマンドを生成し、
前記チャネル制御部は、前記受信したデータ入出力要求が前記テープアクセス要求である場合には、前記磁気テープ上の位置を特定するための情報に対応する前記ディスクドライブ上の位置を特定するための情報を設定して前記ディスク制御コマンドを生成し、
前記ディスク制御部は、前記ディスク制御コマンドに従って前記ディスクドライブに対するデータ入出力に関する制御を行うこと、
を特徴とするディスクシステム。
【請求項９】
請求項８に記載のディスクシステムであって、
前記チャネル制御部は、前記受信したデータ入出力要求が、前記テープアクセス要求であり、前記テープアクセス要求が磁気テープをマウントする処理を要求するものであるときは、前記テープアクセス要求に設定される磁気テープを識別する情報を取得し、前記磁気テープが読み書き可能になるようにすること、
を特徴とするディスクシステム。
【請求項１０】
情報処理装置から送信されるデータ入出力要求を受信するチャネル制御部と、
ディスクドライブを制御するディスク制御部と、
前記チャネル制御部と前記ディスク制御部との間で授受されるデータを記憶するキャッシュメモリとを備えるディスク制御装置と、複数のディスクドライブとを備えるディスクシステムの制御方法であって、
前記チャネル制御部は、磁気テープ上でデータを記録する位置を特定するための情報と、前記ディスクドライブ上でデータを記録する位置を特定するための情報とを対応づけて記憶し、
前記チャネル制御部は、前記受信したデータ入出力要求が前記ディスクドライブに対するデータ入出力を要求するディスクアクセス要求である場合には、前記ディスクアクセス要求に応じて、前記ディスクドライブに対してデータ入出力を行うように前記ディスク制御部に指示をするディスク制御コマンドを生成し、
前記チャネル制御部は、前記受信したデータ入出力要求が、磁気テープ装置に対するデータ入出力を要求するテープアクセス要求である場合には、前記テープアクセス要求に設定される前記磁気テープ上の位置を特定するための情報を取得し、前記取得した前記磁気テープ上の位置を特定するための情報に対応する前記ディスクドライブ上の位置を特定するための情報を設定して前記ディスク制御コマンドを生成し、
前記ディスク制御部は、前記ディスク制御コマンドに従って前記ディスクドライブに対するデータ入出力に関する制御を行うこと、
を特徴とするディスクシステムの制御方法。